【事件の表示】
　特許第３３５３３９４号「画像表示装置」の請求項１、２に係る特許に対する特許異議の申立てについて、次のとおり決定する。
【結　論】
　訂正を認める。
　特許第３３５３３９４号の請求項１、２に係る特許を取り消す。
【理　由】
第１　手続の経緯
　特許第３３５３３９４号の請求項１、２に係る発明についての出願は、平成５年７月６日に出願され、平成１４年９月２７日に設定登録され、その後、特許異議の申立てがなされ、取消理由通知がなされ、その指定期間内である平成１６年６月２８日に訂正請求がなされたものである。
　
第２　訂正の適否
１　訂正事項
(１)　請求項１における「前記キャビネットと前記枠体とで、前記画像表示素子を挟み込んで構成したことを特徴とする画像表示装置。」を「前記枠体に設けられた穴を前記キャビネットの前記ボスに取り付けて、前記キャビネットと前記枠体とで、前記画像表示素子及び前記金属板とを挟み込んで構成したことを特徴とする画像表示装置。」と訂正する。
　
(２)　請求項２における「前記画像表示素子を挟み込んでから前記キャビネットを取付け固定した構成にしたことを特徴とする画像表示装置。」を「前記画像表示素子及び前記金属板とを挟み込んでから前記枠体に設けられた穴を前記キャビネットの前記ボスに取付けて固定した構成にしたことを特徴とする画像表示装置。」と訂正する。
　
(３)　請求項１、２における「その前方に配置した複数のボスを備えたキャビネット」を「前記画像表示素子の前方に配置した複数のボスを備えたキャビネット」と訂正する。
　
２　訂正の目的の適否、新規事項の有無及び拡張・変更の存否
　上記訂正事項(１)、(２)は、特許請求の範囲の減縮を目的とし、新規事項の追加に該当せず、実質上特許請求の範囲を拡張し、又は変更するものではない。
　また上記訂正事項(３)は、明りょうでない記載の釈明を目的とし、新規事項の追加に該当せず、実質上特許請求の範囲を拡張し、又は変更するものではない。
　
３　むすび
　以上のとおりであるから、上記訂正は、特許法１２０条の４第２項の規定、及び３項で準用する特許法１２６条２項及び３項の規定に適合するので、当該訂正を認める。
　
第３　取消理由についての判断
１　引用刊行物
(１)　当審が通知した取消理由通知に引用した特開昭６２−１０９７７号公報（以下「刊行物１」という。）には次の事項が記載されている。
ア　ドツトマトリツクス液晶表示パネルを用いてテレビジヨン画像を表示する液晶テレビジヨン受像機に関して、「第３図及び第４図において、図中１０ａは受像機ケ−ス１０の表側ケ−ス、１０ｂは中間ケ−ス、１０ｃは裏側ケ−スであり」（５頁右下欄１５〜１７行）
イ　「第４図において、５８は中間ケ−ス１０ｂと一体に形成されたシャーシであり、このシャーシ５８には、前記つまみ基板１１０と、スピ−カ１７０と、チューニングつまみ６１およびボリューム調節つまみ６２が取付けられてシャーシユニットＥとしてまとめられている。」（６頁右上欄１１〜１６行）
ウ　「表示ユニットＡはシャーシユニットＥの表側に配置されている。
　前記表示ユニットＡは、第１図及び第９図〜第１１図に示すように、フレーム７０上に液晶表示パネル１８１を配置してこの液晶表示パネル１８１の両側部を両面接着テープ７１によりフレ−ム７０に接着固定すると共に、液晶表示パネル１８１とフレーム７０との間にエレクトロルミネセンス照光パネル１８２を挿入し、さらにフレーム７０の下側に４個の信号側電極駆動用ＬＳＩ　７２ａ、７２ｂ、７２ｃ、７２ｄを表面に備えた表示駆動回路基板１５０を配置し、その裏面に、１個の走査側電極駆動用ＬＳＩ　７２ｅを裏面に備えた表示駆動制御回路基板１４０を積層配置したもので、上記表示駆動制御回路基板１４０の側部に熱圧着されてこの回路基板１４０から導出されたフレキシブル基板２０１は、液晶表示パネル１８１の走査側電極の端子に熱圧着によつて接続されている。
　また、上記表示駆動回路基板１５０はフレキシブルなフイルム基板の裏面に補強板１５０ａを接着したもので、この前記フイルム基板の両側部は補強板１５０ａで補強された表示駆動回路１５０部分から適当長さ導出されて表示パネル接続用フレキシブル基板２００とされている。そして、このフレキシブル基板２００は、前記表示駆動制御回路基板１４０側のフレキシブル基板２０１とは直交する方向から液晶表示パネル１８１の信号側電極の端子に重合され、止めネジ７４によつてフレーム７０に取付けられる押え板７３により信号側電極の端子と接触接続されている。なお、第１図において７５は前記押え板７３のフレキシブル基板当接面に接されるゴム材である。」（６頁右下欄１６〜７頁右上欄８行）
エ　「表示駆動回路基板１５０と表示駆動制御回路基板１４０とを、それぞれその基板から導出されたフレキシブル基板２００、２０１を介して液晶表示パネル１８１の走査側電極および信号側電極に互いに直交する方向から接続している」（８頁右上欄１７〜左下欄１行）
　
(２)　同じく特開昭６３−１２１８８４号公報（以下「刊行物２」という。）には次の事項が記載されている。
オ　「蛍光表示管と、車両ボディに固着されるフレーム部材と、下面に取付片を垂設した放熱板と、回路基板とを備え、前記蛍光表示管を前記フレーム部材と放熱板により挟持すると共に前記取付片に前記回路基板を装着したことを特徴とする車両用蛍光表示管装置。」（１頁の特許請求の範囲）
カ　「第１図は本発明の第１実施例を示す側面図、第２図は同じく背面図である。１は蛍光体を塗布したいくつかの陽極片の発光を切り換えることにより、文字、数字などを選択的に表示する蛍光表示管であり、該蛍光表示管１を合成樹脂製のフレ−ム部材２と鉄板あるいはアルミ板製の放熱板３で挟持する。そしてねじ４により放熱板３をフレ−ム部材２に固着することにより両者の間に蛍光表示管１を固定する。」（２頁左下欄１〜９行）
キ　「前記放熱板３の下面にはプレス成型により取付片８が垂設形成され、ここに蛍光表示管１の表示制御回路を構成する各種素子９、１０を実装した回路基板１１、１２がねじ１３により取り付けられている。そして蛍光表示管１と回路基板１２はフレキシブルプリント基板１４により電気的に接続されている。特に蛍光表示管１とフレキシブルプリント基板１４は第３図に示すように、蛍光表示管１のガラス端面を５mm程度延ばしたうえ、メッキを施して端子１５を形成し、該端子１５とフレキシブルプリント基板１４を導電性接着剤または半田付けして接続する。あるいは第４図に示すように、蛍光表示管の端面から５mm程度リ−ド端子１６を延ばし、該リ−ド端子とフレキシブルプリント基板１４を半田付けして接続する。」（２頁左下欄最下行〜右下欄１５行）
ク　「次に本発明の第２実施例を第５図に示す。前記第１実施例のフレ−ム部材２は一体成型により作られているが、本実施例ではこれに代えて、２個のＬ字形状フレ−ム部材２０、２１により蛍光表示管１を固定している。」（３頁３〜７行）
　
(３)　同じく実願平１−２９２６号の公開されたマイクロフィルム（以下「刊行物３」という。）には図面と共に次の事項が記載されている。
ケ　「駆動回路(１)及び放熱板(５)が搭載された回路基盤(２)と、該回路基板に、前記放熱板(５)に密着又は接着され、かつ該放熱板を介して取付けられると共に、表示電極に突設されたリード端子(６)を有する蛍光表示管(４)と、前記リード端子(６)と前記駆動回路(１)とを接続する電気的接続手段(７)、(９)を備えたことを特徴とする表示装置。」（２頁の実用新案登録請求の範囲）
コ　「第１図において、裏面に駆動回路１を設けてなる回路基板２の表面には放熱板５を接着し、該放熱板５の表面（上面）に従来例で述べたこと[と]同様の大型蛍光表示管４を当接保持せしめている。」（５頁最下行〜６頁４行）
サ　第２図は上記蛍光表示管４、放熱板５、回路基板２よりなる装置を、ケース１０に取り付けた状態を示す。」（６頁１１〜１３行）
シ　第５図(ロ)では、第２図と同じくケース１０よりボス１３ａを突出させヒートシンクとなる金属製ケース１３とネジ留めした構造を示している。」（１０頁１２〜１４行）
　
(４)　同じく特開平５−１０３２８４号公報（以下「刊行物４」という。）には図面と共に次の事項が記載されている。
ス　フロントキャビネットとリアキャビネットとの間に主基板、反射板、螢光灯及び液晶パネルを積層配設する液晶テレビの組立構造に関して、「図１乃至図３に本発明の一実施例の構成を示す。図１及び図２において、矩形容器状のリアキャビネット１の底面の四隅近傍には、それぞれ第１の係合手段であるボス２が突出して設けられている。」（段落００１０）
セ　「図２に示すように、リアキャビネット１のボス２の中心に下面から形成された座ぐり孔２ｂにネジ１０を挿入し、細径部２ａ及び反射板４側の受座７の中心を貫通して、フロントキャビネット８側のボス９の中心に形成されたネジ孔９ａに螺合させる。　・・・中略・・・　このようにして、４本のネジ１０によりフロントキャビネット８、液晶パネル１１、反射板４及びリアキャビネット２を一体に位置決め固定することができる。」（段落００１２）
　
２　訂正明細書の請求項１に係る発明
(１)　訂正明細書の請求項１に係る発明は、その特許請求の範囲に記載された次の事項により特定されるとおりのものである。（以下「訂正発明１」という。）
　「【請求項１】表容器と裏容器とを有する真空外囲器から構成される画像表示素子と、前記画像表示素子の前方に配置した複数のボスを備えたキャビネットと、前記画像表示素子の裏面に配置されて、前記画像表示素子に接続されている複数の端子プリント配線板と、前記画像表示素子を駆動する駆動回路プリント配線板と、前記複数の端子プリント配線板と前記駆動回路プリント配線板を取付け固定する枠体と、前記画像表示素子の後面と前記枠体との間に挿入配設された金属板とを備え、前記枠体に設けられた穴を前記キャビネットの前記ボスに取り付けて、前記キャビネットと前記枠体とで、前記画像表示素子及び前記金属板とを挟み込んで構成したことを特徴とする画像表示装置。」
　 
(２)　対比
　表容器と裏容器とを有する真空外囲器から構成される画像表示素子は、当業者に周知な画像表示素子である。
　すなわち、本願発明の明細書にも従来の技術として、「近年、ブラウン管のように映像を映し出す画像表示素子で、表容器と裏容器という２個のガラス製の容器とその間から複数の金属線が出ている画像表示素子が開発されている。」（段落０００４）と開示され、この容器が真空外囲器から構成されることも段落００１４に記載されている。
　さらに、本願発明の特許公報の参考文献に揚げられた特開昭６１−１８０１４８号公報にも開示されている。また、刊行物の２、３の蛍光表示管が真空容器であることは、自明の事項である。
　キャビネットが係合手段としてボスを備えることは格別な構成ではなく、刊行物３には、前記１(３)シで揚げたようにケースよりボスを突出させてネジ留めした構造が明記されている。
　刊行物１には、画像表示素子である液晶表示パネルの裏面に照光パネルを配置してフレームに固定し、フレームの裏面に表示駆動回路基板と表示駆動制御回路基板を積層して配置し、両回路基板から導出されたフレキシブル基板を液晶表示パネルの走査電極、信号側電極にそれぞれ接続して、表示ユニットとして一体化してケース内に収納した構成が開示されている。そして、表側ケース１０ａは、訂正発明１のキャビネットに、中間ケース１０ｂ、裏側ケース１０ｃは合わせて枠体に相当するといえる。
　そして、この枠体は、液晶パネルを挟み込む構成であるとともに、両回路基板及びフレキシブル基板を挟み込みにより取付固定する構成である。
　本件の金属板は、放熱効果を高めるために設けたものであるが、刊行物２、３にも表容器と裏容器とを有する真空外囲器から構成される表示素子の後面に放熱板を備えた表示装置が開示されている。
　
(３)　相違点
　以上を踏まえ、刊行物１の画像表示装置と訂正発明１を対比すると、「表容器と裏容器とから構成される画像表示素子と、前記画像表示素子の前方に配置したキャビネットと、前記画像表示素子の裏面に配置されて、前記画像表示素子に接続されている複数の端子プリント配線板と、前記画像表示素子を駆動する駆動回路プリント配線板と、前記複数の端子プリント配線板と前記駆動回路プリント配線板を取付け固定する枠体と、前記キャビネットと前記枠体とで、前記画像表示素子を挟み込んで構成したことを特徴とする画像表示装置。」の点で一致し、次の点で相違する。
　
相違点１：訂正発明１では、画像表示素子が真空外囲器を備え、画像表示素子の後面に金属板を配置し、キャビネットと枠体とで、画像表示素子と金属板を挟み込んでいるのに対し、刊行物１ではこの構成が示されていない点。
相違点２：訂正発明１では、キャビネットが複数のボスを備え、枠体の穴を取り付けているのに対し、刊行物１ではボス等の取付手段が明確に示されていない点。
　
(４)　相違点の検討
相違点１について
　画像表示素子として、真空外囲器を備えたものは前記したように平面型表示装置として当業者に周知であり、刊行物２には、真空外囲器を備えた蛍光表示管を表示素子とし、その表示側後部に金属製の放熱板が設けられており、刊行物１の表示装置においても必要ならば放熱を期して金属板を設けることは当業者であれば容易に推考できたものと認められる。
　また、キャビネットと枠体とで、画像表示素子と金属板を挟み込んで支持することは、刊行物２においてもフレーム部材と取付片で画像表示素子と金属片を挟み込んでおり、支持手段としての構造は異なるが、機能的な観点からは格別顕著なものとは認められず、当業者が適宜実施しうる構成にすぎず進歩性は認められない。
　
相違点２について
　二つの部材を係合固定する手段は、種々のものが慣用されており、刊行物４にも、フロントキャビネットとリアキャビネットを備えた液晶テレビが示され、係合手段としてボスと受座が明確に示されている。
　訂正発明１の係合手段は、他の構成と密接な関連も特徴的な限定もないことから、当業者が適宜採用しうる設計事項にすぎない。
　
　以上、各相違点に何ら進歩性は認められず、相違点全体としても格別進歩性是認の判断に寄与する事項は認められない。また、効果についても格別顕著な事項は認められない。
　
　したがって、訂正発明１は、前記刊行物に記載された発明に基づいて当業者が容易に発明をすることができたものである。
　
３　訂正明細書の請求項２に係る発明
(１)　訂正明細書の請求項２に係る発明は、その特許請求の範囲に記載された次の事項により特定されるとおりのものである。（以下「訂正発明２」という。）
　「【請求項２】　表容器と裏容器とを有する真空外囲器から構成される画像表示素子と、前記画像表示素子の前方に配置した複数の固定台と、複数のボスを備えたキャビネットと、前記画像表示素子の裏面に配置されて、前記画像表示素子に接続されている複数の端子プリント配線板と、前記画像表示素子を駆動する駆動回路プリント配線板と、前記複数の端子プリント配線板と前記駆動回路プリント配線板を取付け固定する枠体と、前記画像表示素子の後面と前記枠体との間に挿入配設された金属板とを備え、前記固定台と前記枠体とで前記画像表示素子及び前記金属板とを挟み込んでから前記枠体に設けられた穴を前記キャビネットの前記ボスに取付けて固定した構成にしたことを特徴とする画像表示装置。」
　
(２)　訂正発明２の特徴的な要件及び判断
　訂正発明２の特徴は、訂正発明１に加え、「複数の固定台を画像表示素子の前方に配置し、固定台と枠体とで画像表示素子と金属板を挟み込んでからキャビネットを取付け固定した」構成を、更に要件としている点である。
　そこで検討するに、刊行物１には、液晶表示パネルとフレームと回路基板を一体化して、第３図に示されるようにケース内に設置しており、画像表示素子をキャビネットに取り付ける前に予め固定しておくことは、機器製作上当業者が適宜実施しうる事項であり、当業者が格別発明力を要したとは認められない。
　なお、外部ケースとは別に、あらかじめ表示素子を固定する枠を備えた表示装置は、実願昭５８−１２７２９２号（実開昭６０−３６６２９号公報）の従来技術としても例示されているように当業者に周知な事項である。
　
　したがって、訂正発明２は、他の構成要件について訂正発明１の項で検討した事項を含め、前記刊行物に記載された発明に基づいて当業者が容易に発明をすることができたものである。
　
第４　むすび
　以上のとおりであるから、本件訂正発明１、２は、前記刊行物に記載された発明に基づいて当業者が容易に発明をすることができたものであるから、本件発明１、２についての特許は特許法２９条２項の規定に違反してされたものである。
　したがって、本件発明１、２についての特許は、特許法１１３条２号に該当し、取り消されるべきものである。
　よって結論のとおり決定する。
【異議決定日】
平成１６年１０月１３日（２００４．１０．１３）
【訂正の要旨】
審決（決定）の【理由】欄参照。
（５４）【発明の名称】
画像表示装置
（５７）【特許請求の範囲】
　【請求項１】表容器と裏容器とを有する真空外囲器から構成される画像表示素子と、
前記画像表示素子の
前記枠体に設けられた穴を前記キャビネットの前記ボスに取付けて、
及び前記金属板と
　【請求項２】表容器と裏容器とを有する真空外囲器から構成される画像表示素子と、
前記画像表示素子の
及び前記金属板と
前記枠体に設けられた穴を前記キャビネットの前記ボスに取付けて固定した
【発明の詳細な説明】
　【０００１】
　【産業上の利用分野】
　本発明は、表容器と裏容器とを有する真空外囲器によって構成される画像表示素子と画像表示素子から出ている金属製の端子と溶接する端子プリント配線板および、画像表示素子を駆動するための電気回路を搭載した駆動回路プリント配線板などのプリント配線板を画像表示素子に取り付ける構造、および画像表示素子と端子プリント配線板、駆動回路プリント配線板を一体化してキャビネットに取り付ける構造に関するものである。
　【０００２】
　また、本発明は、画像表示素子自身から発生する熱と駆動回路プリント配線板から発生する熱による画像表示素子の温度上昇を抑えることおよび、画像表示素子裏面と駆動回路プリント配線板の間の空間の温度を均一化する構造に関するものである。また、本発明は、画像表示素子を構成する表容器、裏容器の寸法が大きくばらついた場合に対しても画像表示素子をキャビネットに取り付けることができるように、それに、衝撃を受けたときにある程度の衝撃を吸収できるようにした構造に関するものである。
　【０００３】
　また、本発明は画像表示装置単体を移載できるようにした構造に関するものである
　【０００４】
　【従来の技術】
　近年、ブラウン管のように映像を映し出す画像表示素子で、表容器と裏容器という２個のガラス製の容器とその間から複数の金属線が出ている画像表示素子が開発されている。
　【０００５】
　以下に従来の画像表示装置の構造について説明する。
　図１４〜図１５は従来の画像表示素子と端子プリント配線板、画像表示素子を駆動する駆動回路プリント配線板の構成図を示すものである。図１４〜図１５において、１は画像表示素子で、ガラス製の表容器１ａ、裏容器１ｂから構成された、ブラウン管のように映像を映し出す画像表示素子である。２は金属製の端子で画像表示素子１の表容器１ａと裏容器１ｂの間から上下、左右に出てくる複数の金属線である。３は端子プリント配線板で、複数の金属製の端子３ａが取付けられており、画像表示素子１から出ている端子２に溶接して端子２と端子プリント配線板３の金属製の端子３ａを接続している。４は駆動回路プリント配線板で、画像表示素子１を駆動するための電気回路が搭載されている。５はカプラで駆動回路プリント配線板４の上下、左右で４枚の端子プリント配線板３と駆動回路プリント配線板４を接続している。
　【０００６】
　以上のように構成された画像表示装置について、以下に説明する。まず、画像表示素子１からは複数の金属製の端子２が出ており、端子プリント配線板３にある複数の金属製の端子３ａと溶接によって接続する。その後、４枚の端子プリント配線板３を画像表示素子１の裏面の方向に端子２の部分で折り曲げる。４枚の端子プリント配線板３が周囲を囲むような形になったところに駆動回路プリント配線板４を配置して、４枚の端子プリント配線板３と複数のカプラ５によって接続している。
　【０００７】
　【発明が解決しようとする課題】
　しかしながら上記の従来の画像表示素子と複数の端子プリント配線板、駆動回路プリント配線板の構成では、画像表示素子自身に端子プリント配線板を取り付ける構造がないので、端子プリント配線板をどこかに固定しなければ、端子プリント配線板を画像表示素子から出ている端子に溶接した後、画像表示装置を移載するときに端子プリント配線板が前後左右に自由に動くために、端子が画像表示素子から出てくる部分や、端子の折り曲げ部分などが破損する可能性がある。
　【０００８】
　それに、画像表示素子を駆動するための電気回路を搭載した駆動回路プリント配線板は端子プリント配線板にカプラで接続されるが、この駆動回路プリント配線板も画像表示装置に固定する構造がない。また、画像表示素子単体にはキャビネットなどの外装部品に取り付けるための構造を有していないという第１の問題点があった。
　【０００９】
　また、画像表示素子が駆動されているときパネル自身からは大きな熱を発生するが、駆動回路プリント配線板も大きな熱を発生するために、画像表示素子の裏面および画像表示素子と駆動回路プリント配線板の間の空間では局所的に温度の極めて高い部分が存在し、性能に悪影響をおよぼす可能性があるという第２の問題点があった。
　【００１０】
　また、画像表示素子はガラス製の表容器、裏容器と呼ばれる部分を組み合わせて構成されるために、全体の寸法が大きくばらつき、位置決めが困難であることそれに、全体がガラス製であるため衝撃にも弱いという第３の問題点があった。
　【００１１】
　また、画像表示素子には移載の際に持つことができる部分がないので、簡単に持ち運ぶことが困難であるという第４の問題点があった。
　【００１２】
　本発明は上記従来の課題を解決するもので、画像表示素子から上下、左右４方向に出ている複数の端子と溶接されている４枚の端子プリント配線板と端子プリント配線板に接続した駆動回路プリント配線板を画像表示素子の裏面に固定するとともに、画像表示素子と端子プリント配線板を一体として、キャビネットに取付けることができる画像表示装置を提供することを第１の目的とする。
　【００１３】
　また、本発明は上記従来の課題を解決するもので、画像表示素子裏面の温度上昇を抑えるとともに、画像表示素子と駆動回路プリント配線板の間の空間の温度を均一化し、全体の温度を下げることができる画像表示装置を提供することを第２の目的とする。
　【００１４】
　また、本発明は、上記従来の課題を解決するもので、表容器、裏容器、また、組み合わせた真空外囲器の寸法のばらつきを吸収し、画像表示素子を衝撃から保護することができる画像表示装置を提供することを第３の目的とする。
　【００１５】
　また、本発明は、上記従来の課題を解決するもので画像表示素子と端子プリント配線板、駆動回路プリント配線板を一体で、移載することが容易にできる画像表示装置を提供することを第４の目的とする。
　【００１６】
　【課題を解決するための手段】
　上記第１の目的を達するために本発明の画像表示装置は、画像表示素子の裏面から、枠体をはめこんで、枠体に設けられた複数のボスに複数の端子プリント配線板と、駆動回路プリント配線板をビスやツメで取り付けることができる、また、枠体の４箇所のコーナーにある複数の穴を利用して枠体ごとキャビネットに画像表示素子と端子プリント配線板、駆動回路プリント配線板を一体で取り付けることができる構成を有している。
　【００１７】
　また、上記第１の目的を達するために本発明の画像表示装置は、画像表示素子の前方周囲、あるいは左右、あるいは４個のコーナーに配置された固定台に対して、画像表示素子の裏面から、枠体をはめこんで、固定台とビス止めして画像表示素子を囲み固定し、枠体に設けられた複数のボスに複数の端子プリント配線板と、駆動回路プリント配線板をビスやツメで取り付けることができる、また、枠体の４箇所のコーナーにある複数の穴を利用して枠体ごとキャビネットに画像表示素子と端子プリント配線板、駆動回路プリント配線板を一体で取り付けることができる構成を有している。
　【００１８】
　上記第２の目的を達成するために本発明の画像表示装置は、画像表示素子の裏面からはめこむ枠体の裏面、即ち、画像表示素子と枠体の間に金属板の放熱板を取り付け、その放熱板が画像表示素子裏面に接触するという構成を有している。
　【００１９】
　上記第３の目的を達成するために本発明の画像表示装置は、画像表示素子の前方周囲、あるいは左右、あるいは４個のコーナーに配置した固定台で、画像表示素子の４箇所のコーナー部で、固定台と画像表示素子の間、画像表示素子と枠体の間に複数のクッションをはめこみ、複数のクッションで画像表示素子を囲んで画像表示素子の寸法のばらつきを吸収し、衝撃から保護する構成を有している。
　【００２０】
　上記第４の目的を達成するために本発明の画像表示装置は枠体の複数のボスに複数の把手をビス止めすることで、画像表示装置の移載ができる構造を有している。
　【００２１】
　【作用】
　上記の技術手段によって、画像表示素子から上下、左右４方向に出ている複数の端子と溶接されている４枚の端子プリント配線板と端子プリント配線板に接続した駆動回路プリント配線板を画像表示素子の裏面に固定するとともに、画像表示素子と端子プリント配線板を一体として、キャビネットに取付けることができる。
　【００２２】
　また、上記の技術手段によって、画像表示素子裏面の温度上昇を抑えるとともに、画像表示素子と駆動回路プリント配線板の間の空間の温度を均一化し、全体の温度を下げることができる。また、上記の技術手段によって、画像表示素子の寸法のばらつきを吸収し、画像表示素子を衝撃から保護することができる。
　【００２３】
　また、上記の技術手段によって、画像表示素子と端子プリント配線板、駆動回路プリント配線板を一体で、移載することができる。
　【００２４】
　【実施例】
　（実施例１）
　以下、本発明の一実施例について、図１〜図２を参照しながら説明する。
図１〜図２において、６は画像表示素子で、ブラウン管のように映像を映し出す画像表示素子で、ガラス製の表容器６ａと裏容器６ｂから構成されている。７は端子で画像表示素子６の表容器６ａと裏容器６ｂの間から上下、左右方向に出ている複数の金属線である。８は端子プリント配線板で、複数の金属製の端子８ａが取り付けられており、画像表示素子６から出ている端子７に溶接して端子７と端子プリント配線板８の金属製の端子８ａを接続している。９は駆動回路プリント配線板で、画像表示素子６を駆動するための電気回路が搭載されている。１０はカプラで駆動回路プリント配線板９の上下、左右で４枚の端子プリント配線板７と駆動回路プリント配線板９を接続している。１１はキャビネットで、画像表示素子６を取り付けるものである。１１ａはボスである。１２は枠体である。１２ａは枠体に設けられたボスである。
　【００２５】
　以上のように構成された画像表示装置において、まず、枠体１２を画像表示素子６の後方から、裏容器６ｂを覆うようにはめ込み、４枚の端子プリント配線板８を端子７のところで、枠体１２の方向に折り曲げ、枠体１２が有する複数のボス１２ａにビス止めして、枠体に固定する。４枚の端子プリント配線板８の真ん中に駆動回路プリント配線板９を配置し、同様に枠体１２のボス１２ａにビス止めして固定する。４枚の端子プリント配線板８と駆動回路プリント配線板９とはカプラ１０によって接続している。この状態で、キャビネット１１のボス１１ａに枠体１２をビス止めして、画像表示素子６をキャビネット１１と枠体１２ではさみ込むため画像表示素子６をキャビネット１１に固定することができるとともに、４枚の端子プリント配線板８と駆動回路プリント配線板９も固定することができ目的を達成することができる。
　【００２６】
　（実施例２）
　また、本発明の他の実施例について、図３〜図６を参照しながら説明する。図３〜図６において、１３は固定台で、画像表示素子６の前方で左右に配置して、画像表示素子６の表容器６ａの前方の４箇所のコーナーを押さえられるようになっている。固定台１３には複数のボス１３ａが設けられている。
　【００２７】
　以上のように構成された画像表示装置において、まず、左右の固定台１３を、画像表示素子６の表容器６ａの前方４箇所のフランジ部分が当たるところに配置し、枠体１２を画像表示素子６の後方から、裏容器６ｂを覆うようにはめ込み、４枚の端子プリント配線板８を端子７のところで、枠体１２の方向に折り曲げ、枠体１２が有する複数のボス１２ａにビス止めして、枠体に固定する。４枚の端子プリント配線板８の真ん中に駆動回路プリント配線板９を配置し、同様に枠体１２のボス１２ａにビス止めして固定する。４枚の端子プリント配線板８と駆動回路プリント配線板９とはカプラ１０によって接続している。この状態で、枠体１２の４コーナーで固定台１３のボス１３ａにビス止めして、枠体１２と固定台１３とで画像表示素子６をはさみ込むようにしている。これを、キャビネット１１の中に入れ、キャビネット１１のボス１１ａに枠体１２をビス止めすると、画像表示素子６を枠体１２と固定台１３ではさみ込むため画像表示素子６をキャビネット１１に固定することができるとともに、４枚の端子プリント配線板８と駆動回路プリント配線板９も固定することができ目的を達成することができる。
　【００２８】
　（実施例３）
　また、本発明の他の実施例について、図７〜図８を参照しながら説明する。図７〜図８において、１４は第１のクッションで固定台１３と画像表示素子６の表容器６ａの前、上下、左右の空間を満たすものであるが、ガラス製の画像表示素子６の外形寸法のばらつきを前後、上下、左右方向において吸収するとともに、画像表示素子６に衝撃が加わった場合に、衝撃から画像表示素子６を保護する役割を果たしている。１５は第２のクッションで、枠体１２と画像表示素子６の裏容器６ｂの間の４コーナーに挟み込まれている。
　【００２９】
　以上のように構成された画像表示装置において、まず、固定台１３の内側で画像表示素子６の表容器６ａの前方４箇所のコーナーに第１のクッションを入れ、枠体１２と裏容器６ｂの間に第２のクッションを４箇所に入れ、この状態で、枠体１２と固定台１３を固定台１３ａのボスを利用して、ビス止めして、画像表示素子６をはさみ込み画像表示素子６の４箇所のコーナーを第１のクッション、第２のクッションによって画像表示素子６のガラスの寸法のばらつきを吸収するとともに、衝撃から画像表示素子６を保護するようになっている。
　【００３０】
　（実施例４）
　また、本発明の他の実施例について図９〜図１０を参照しながら説明する。図９〜図１０において、１６は放熱板で、画像表示素子６の裏面の熱を放出するとともに、温度を均一化している。
　【００３１】
　以上のように構成された画像表示装置において、まず、１２は枠体で、画像表示素子６の裏面から画像表示素子６を押さえるように取り付けられるが、ボス１２ａに放熱板１３を枠体１２の裏側からビス止めしている。したがって、裏容器６ｂと枠体１２の間に放熱板１６をはさみ込んだ状態になっている。また、ボス１２ａには端子プリント配線板８、駆動回路プリント配線板９をビス止めしている。それを画像表示素子６の前方左右にある固定台１３のボス１３ａにビス止めすることによって、画像表示素子６を挟み込むことができる。ここで、画像表示素子６の裏面には放熱板１６が接触しているので、画像表示素子６の裏面の温度を下げるとともに均一化し、画像表示素子６と駆動回路プリント配線板９の間の空間の温度を均一化することができる。
　【００３２】
　（実施例５）
　また、本発明の他の実施例について図１１〜図１３を参照しながら説明する。図１１〜図１３において、１７は把手であり、手で持つことができる部分である。１８はリード線、１９はクランパー、２０はバックカバーである。
　【００３３】
　以上のように構成された画像表示装置において、まず、端子プリント配線板８の上から、左右に把手１７を枠体１２のボス１２ａにビス止めして取り付けると、把手１７を持って画像表示素子６を移載することができる。また、把手１７は狭い空間において、リード線１８の処理を行う際のクランパー１９を取り付ける部品としても用いることができ、バックカバー２０の外郭強度を向上させる役割も担っている。
　【００３４】
　なお、左右の固定台１３と枠体１２を４箇所のコーナー部で固定台１３のボス１３ａにビス止めしているが、固定台１３は左右の２個にする必要は特になく、画像表示素子６に対して、上下、左右で枠体１２と挟むように４個にしてもよいし、また、左右の固定台１３の上下をつないで、枠体のような形状にしても枠体１２とで画像表示素子６を挟み込み、目的を達することができる。
　【００３５】
　【発明の効果】
　以上のように本発明の画像表示装置によって、画像表示素子から上下、左右４方向に出ている複数の端子と溶接されている４枚の端子プリント配線板と端子プリント配線板に接続した駆動回路プリント配線板を画像表示素子の裏面に固定するとともに、画像表示素子と端子プリント配線板を一体として、キャビネットに取付けることができる。また、画像表示素子裏面の温度上昇を抑えるとともに、画像表示素子と駆動回路プリント配線板の間の空間の温度を均一化し、全体の温度を下げることができる。また、画像表示素子の寸法のばらつきを吸収し、衝撃から保護するとともに、画像表示素子と端子プリント配線板、駆動回路プリント配線板を一体で、移載することができるので大いに有効なものである。
【図面の簡単な説明】
　【図１】
　本発明の第１の実施例を示す画像表示装置の分解斜視図
　【図２】
　本発明の第１の実施例を示す画像表示装置の分解斜視図
　【図３】
　本発明の第２の実施例を示す画像表示装置の分解斜視図
　【図４】
　本発明の第２の実施例を示す画像表示装置の分解斜視図
　【図５】
　本発明の第２の実施例を示す画像表示装置の組立図
　【図６】
　本発明の第２の実施例を示す画像表示装置の組立図
　【図７】
　本発明の第３の実施例を示す画像表示装置の分解斜視図
　【図８】
　本発明の第３の実施例を示す画像表示装置の分解斜視図
　【図９】
　本発明の第４の実施例を示す画像表示装置の分解斜視図
　【図１０】
　本発明の第４の実施例を示す画像表示装置の分解斜視図
　【図１１】
　本発明の第５の実施例を示す画像表示装置の組立図
　【図１２】
　本発明の第５の実施例を示す画像表示装置の組立図
　【図１３】
　本発明の第５の実施例を示す画像表示装置の側面図
　【図１４】
　従来の画像表示装置の組立図
　【図１５】
　従来の画像表示装置の組立図
　【符号の説明】
　６　画像表示素子
　６ａ　ガラス製の表容器
　６ｂ　裏容器
　７　金属製の端子
　８　端子プリント配線板
　８ａ　金属製の端子
　９　駆動回路プリント配線板
　１０　カプラ
　１１　キャビネット
　１１ａ　ボス
　１２　枠体
　１２ａ　ボス
　１３　固定台
　１３ａ　ボス
　１４　第１のクッション
　１５　第２のクッション
　１６　放熱板
　１７　把手
　１８　リード線
　１９　クランパー
　２０　バックカバー